(57)【要約】【課題】家具の脚の底面への取り付けを容易にすると共に、長期間に亘って使用可能な家具用脚受具を提供する。【解決手段】家具用脚受具は、外面に雄ねじ１１が切られた軸部１２を備えた雄ねじ部材１０と、家具の脚１の底面１ａにねじ込むことによって軸部１２が家具の脚１の底面１ａに対して直角で下向きに突出した状態で雄ねじ部材１０を家具の脚１の底面１ａに固着する木ねじ２０と、雄ねじ１１に螺合する雌ねじ３１が内面に切られた上部開放の凹部３２を備え、雄ねじ部材１０に着脱自在に取り付けられて床面２に接する雌ねじ部材３０とを有して構成されている。【選択図】図２
2018029759.tif 000002
【特許請求の範囲】
【請求項１】
外面に雄ねじが切られた軸部を備えた雄ねじ部材と、家具の脚の底面にねじ込むことによって前記軸部が前記家具の脚の底面に対して直角で下向きに突出した状態で前記雄ねじ部材を前記家具の脚の底面に固着する木ねじ又はタッピングねじと、前記雄ねじに螺合する雌ねじが内面に切られた上部開放の凹部を備え、前記雄ねじ部材に着脱自在に取り付けられて床面に接する雌ねじ部材とを有する家具用脚受具。
【発明の詳細な説明】
【技術分野】
【０００１】
本発明は、家具の脚の底面に取り付けられる家具用脚受具に関する。
【背景技術】
【０００２】
従来、椅子や机等の家具を移動させる際に、家具の脚によって床面が擦れることにより、床面に傷がついたり騒音が発生することを防止するため、また、床面上での家具の滑りをよくするために、家具の脚の底面に家具用脚受具を取り付けることが行われている。
【０００３】
このような家具用脚受具の従来例として、特許文献１に記載された家具類に用いる受台がある。この受台は家具の脚の底面に打ち込み止着されるもので、家具の脚の底面に打ち込むための金属製の打込脚部と、この打込脚部の底部に固着されて床面に接するフッ素樹脂やフェルト製の受座部と、これら打込脚部と受座部とを完全一体化結合する樹脂製の中座部とから構成されている。
【先行技術文献】
【特許文献】
【０００４】
【特許文献１】特開昭８−１１２１５２号公報
【発明の概要】
【発明が解決しようとする課題】
【０００５】
特許文献１に記載の家具類に用いる受台は家具の脚の底面に取り付ける際に、受座部の底面（床面に接する面）を金槌等で叩いて打込脚部を家具の脚の底面に打ち込む必要がある。しかし、受座部は外部から加えられる力に対して弾性変形能を有しており、受座部の底面を金槌で叩いたときに緩衝材として働いてしまうため、打込脚部の家具の脚の底面への打ち込み、すなわち、受台の家具の脚の底面への取り付けが困難になるという問題があった。
【０００６】
また、受座部は受台の長期間の使用により摩耗するので、受台を交換したいという要請がある。しかし、一体型で打ち込み式の受台を一旦家具の脚の底面に打ち込むと、脚の底面には孔が形成されてしまうため、別の受台を同じ孔に打ち込んでもその受台が脚の底面に強固には固定されないという問題があった。
【０００７】
そこで、本発明の目的は、家具の脚の底面への取り付けを容易にすると共に、長期間に亘って使用可能な家具用脚受具を提供することにある。
【課題を解決するための手段】
【０００８】
外面に雄ねじが切られた軸部を備えた雄ねじ部材と、家具の脚の底面にねじ込むことによって前記軸部が前記家具の脚の底面に対して直角で下向きに突出した状態で前記雄ねじ部材を前記家具の脚の底面に固着する木ねじ又はタッピングねじと、前記雄ねじに螺合する雌ねじが内面に切られた上部開放の凹部を備え、前記雄ねじ部材に着脱自在に取り付けられて床面に接する雌ねじ部材とを有する家具用脚受具。
この家具用脚受具によれば、先ず、木ねじ又はタッピングねじによって家具の脚の底面に雄ねじ部材を固着し、その後、雄ねじ部材に対して雌ねじ部材を螺合して着脱自在に取り付けることで、家具の脚の底面に組み立てて取り付けることができるので、従来の一体型で打ち込み式の家具用脚受具に比べて家具の脚の底面への取り付けが容易になる。
また、この家具用脚受具によれば、雄ねじ部材を家具の脚の底面に固着したまま雌ねじ部材を交換することができるので、従来の一体型で打ち込み式の家具用脚受具に比べて長期間に亘って使用可能になる。ここで、雄ねじ部材と雌ねじ部材の使用時の荷重負荷に対する強度は、それぞれの構造上、凹部を備える雌ねじ部材よりも軸部を備える雄ねじ部材の方が高く破損し難いので、木ねじ又はタッピングねじによって家具の脚の底面に雌ねじ部材を固着するのに比べて雄ねじ部材を固着する方がより長期間に亘って使用可能になる。
【発明の効果】
【０００９】
本発明によれば、外面に雄ねじが切られた軸部を備えた雄ねじ部材と、家具の脚の底面にねじ込むことによって前記軸部が前記家具の脚の底面に対して直角で下向きに突出した状態で前記雄ねじ部材を前記家具の脚の底面に固着する木ねじ又はタッピングねじと、前記雄ねじに螺合する雌ねじが内面に切られた上部開放の凹部を備え、前記雄ねじ部材に着脱自在に取り付けられて床面に接する雌ねじ部材とを有するので、家具の脚の底面への取り付けを容易にすると共に、長期間に亘って使用可能な家具用脚受具を提供することができる。
【図面の簡単な説明】
【００１０】
【図１】本発明の実施例１の家具用脚受具の構成を示す分解図である。
【図２】本発明の実施例１の家具用脚受具の使用状態を示す断面図である。
【発明を実施するための形態】
【００１１】
以下、本発明の実施例を図面に基づいて説明する。
【実施例１】
【００１２】
図１，図２に示すように、本実施例の家具用脚受具は、木製の椅子や机等の家具を移動させる際に、その家具の脚１によって床面２が擦れることにより、床面２に傷がついたり騒音が発生することを防止するため、また、床面２上での家具の滑りをよくするために、家具の脚１の底面１ａに組み立てて取り付けられるもので、その基本構造は、外面に雄ねじ１１が切られた軸部１２を備えた雄ねじ部材１０と、家具の脚１の底面１ａにねじ込むことによって軸部１２が家具の脚１の底面１ａに対して直角で下向きに突出した状態で雄ねじ部材１０を家具の脚１の底面１ａに固着する木ねじ２０と、雄ねじ１１に螺合する雌ねじ３１が内面に切られた上部開放の凹部３２を備え、雄ねじ部材１０に着脱自在に取り付けられて床面２に接する雌ねじ部材３０とを有して構成されている。なお、雄ねじ部材１０を家具の脚１の底面１ａに固着（締結）する固着（締結）具として、木ねじ２０の代わりにタッピングネジを使用することも可能である。
【００１３】
雄ねじ部材１０は、断面形状が円形の軸部１２の中心部に、木ねじ２０の軸部２１を挿通させるための円筒形の穴１３と、木ねじ２０の皿状の頭部２２を埋め込むための円錐形の穴１４とを設けている。また、軸部１２の上端に、軸部１２の直径よりも大きく、家具の脚１の平らな底面１よりも小さく、雌ねじ部材３０の上面よりも小さい円板状の座部１５を備え、座部１５の上面（雄ねじ部材１０の上面）を家具の脚１の底面１ａに当接するようになっている。軸部１２は座部１５の下面の中心部から直角に垂下され、穴１３が座部１５の上面中心部に貫通されている。さらに、座部１５の上面の中心部に開口された穴１３の周囲に、雄ねじ部材１０の仮止め及び回止めするために家具の脚１の底面１ａに打ち込み可能な角錐形や円錐形の尖った針１６を複数等角度間隔で突設している。そして、この雄ねじ部材１０はＡＢＳ樹脂を成形することにより形成されている。
【００１４】
木ねじ２０には、ステンス等の金属製のもので、一端が尖っている軸部２１の他端に皿状の頭部２２が設けられた一般的なものが使用されている。
【００１５】
雌ねじ部材３０は、略椀形の外形を有し、家具の脚１の底面１ａに対向する上面の形状は、家具の脚１の底面１ａ略同じ大きさで家具の脚１の底面１ａからはみ出さない円形の平坦面に形成され、床面２に接する底面の形状は、下向きに凸状な球面に形成されている。また、雌ねじ部材３０の上面中央部には、雄ねじ部材１０の全体を回転自在に収容する上部開放の収容凹部３３を備えている。この収容凹部３３は、座部１５を回転自在に収容する円形な上部凹部３４と、軸部１２を回転自在に収容する円形の下部凹部としての凹部３２とから構成され、軸部１２の外面が対向する凹部３２の内面に雌ねじ３１が切られている。そして、この雌ねじ部材３０は低摩擦係数（すべり性が良い）のフッ素樹脂、すなわち、ポリテトラフルオロエチレン（ＰＴＦＥ）を成形することにより形成されている。なお、雌ねじ部材３０の外形は、円柱形、角柱形、下窄まりの円錐台形や角錐台形等、床面２に接する底面が下向きに凸状な球面や放物面ではなく平坦面となる形状を採用することも可能である。
【００１６】
次に、本実施例の家具用脚受具の家具の脚１の底面１ａへの取り付けについて説明する。
【００１７】
先ず、雄ねじ部材１０の座部１５の上面を家具の脚１の底面１ａに対向させた状態で、雄ねじ部材１０の軸部１２の端面を金槌等で叩いて各針１６を家具の脚１の底面１ａに打ち込むことにより、雄ねじ部材１０を家具の脚１の底面１ａの中央部に仮止め状態で取り付ける。この際、雄ねじ部材１０は雌ねじ部材３０に比べて機械的強度が高く、軸部１２を叩くので、また、各針１６は軸部１２を軽く叩くだけで家具の脚１の底面１ａに打ち込むことができるので、樹脂製の雄ねじ部材１０が破損するのを防止しながら、雄ねじ部材１０を脚１の底面１ａに仮止め状態で容易に取り付けることができる。
【００１８】
次に、脚１の底面１ａに仮止め状態で取り付けた雄ねじ部材１０の中心部にある穴１３，１４を通して脚１の底面１ａに、木ねじ２０をねじ込むための下穴（木ねじ２０の軸部２１の直径の７０％くらいの大きさの穴）を開ける。この下穴を開けるために本実施例の家具用脚受具には、先端部がドリル形状の図示しないタッピングねじ（スクリューねじ）が付属されている。このタッピングねじをドライバーで脚１の底面１ａに仮止め状態で取り付けられた雄ねじ部材１０の中心部にある穴１３，１４を通して脚１の底面１ａにねじ込んだ後、取り外すことにより、脚１の底面１ａに仮止め状態で取り付けた雄ねじ部材１０の中心部にある穴１３，１４を通して脚１の底面１ａに下穴を開けることができる。この際、下穴を脚１の底面１ａの中心部に正確に開けることが非常に重要であるが、脚１の底面１ａに仮止め状態で取り付けた雄ねじ部材１０の中心部にある穴１３，１４を通して脚１の底面１ａに下穴を開けるので、下穴を脚１の底面１ａの中心部に正確に開けることができる。
【００１９】
次に、脚１の底面１ａに開けた下穴に木ねじ２０をドライバーで脚１の底面１ａに仮止め状態で取り付けた雄ねじ部材１０の中心部にある穴１３，１４を通してねじ込み、木ねじ２０の頭部２２を雄ねじ部材１０の中心部にある穴１４に完全に埋め込むことにより、図２に示すように、座部１５の上面が家具の脚１の底面１ａに当接し、軸部１２が家具の脚１の底面１ａに対して直角で下向きに突出した状態で雄ねじ部材１０を家具の脚１の底面１ａに固着する。この際、雄ねじ部材１０は、脚１の底面１ａに打ち込まれている各針１６によって、木ねじ２０の軸部２１を中心に回転するのを阻止した状態で家具の脚１の底面１ａに固着されている。
【００２０】
次に、木ねじ２０によって家具の脚１の底面１ａに固着された雄ねじ部材１０の座部１５の下面及び軸部１２の端面に雌ねじ部材３０の上面の収容凹部３３を対向させた状態で、雌ねじ部材３０を手で回しながら雄ねじ部材１０の雄ねじ１１と雌ねじ部材３０の雌ねじを螺合させて雌ねじ部材３０の収容凹部３３に雄ねじ部材１０をねじ込んで行き、図２に示すように、雄ねじ部材１０を雌ねじ部材３０の収容凹部３３に完全に埋め込んで収容することにより、雄ねじ部材１０に対して雌ねじ部材３０を、雄ねじ部材１０の軸部１２の端面と雌ねじ部材３０の凹部３２の底面とが密着し、かつ、雄ねじ部材１０の座部１５の下面と雌ねじ部材３０の上部凹部３４（収容凹部３３内の段面）の底面とが密着し、かつ、雌ねじ部材３０の収容凹部３３の周囲に残された円形リング状の上面と家具の脚１の底面１ａとが密着した状態で螺合して着脱自在に取り付ける。これにより、本実施例の家具用脚受具は家具の脚１の底面１ａに組み立てて取り付けることができる。
【００２１】
以上のように、家具の脚１の底面１ａに取り付けた本実施例の家具用脚受具は、ＰＴＦＥ製の雌ねじ部材３０の下向きに凸状な球面に形成された底面を床面２に接触させて家具を床面２上で受け支えることにより、家具を移動させる際に、その家具の脚１によって床面２が擦れることにより、床面２に傷がついたり騒音が発生することを防止すると共に、床面２上での家具の滑り（移動）をよくすることができる。
【００２２】
次に、本実施例の家具用脚受具の作用について説明する。
【００２３】
以上のように、本実施例の家具用脚受具は、外面に雄ねじ１１が切られた軸部１２を備えた雄ねじ部材１０と、家具の脚１の底面１ａにねじ込むことによって軸部１２が家具の脚１の底面１ａに対して直角で下向きに突出した状態で雄ねじ部材１０を家具の脚１の底面１ａに固着する木ねじ２０と、雄ねじ１１に螺合する雌ねじ３１が内面に切られた上部開放の凹部３２を備え、雄ねじ部材１０に着脱自在に取り付けられて床面２に接する雌ねじ部材３０とを有して構成されており、この本実施例の家具用脚受具によれば、先ず、木ねじ２０によって家具の脚１の底面１ａに雄ねじ部材１０を固着し、その後、雄ねじ部材１０に対して雌ねじ部材３０を螺合して着脱自在に取り付けることで、家具の脚１の底面１ａに組み立てて取り付けることができるので、従来の一体型で打ち込み式の家具用脚受具に比べて家具の脚１の底面１ａへの取り付けが容易になる。
【００２４】
また、本実施例の家具用脚受具によれば、雄ねじ部材１０を家具の脚１の底面１ａに固着したまま雌ねじ部材３０を交換することができるので、従来の一体型で打ち込み式の家具用脚受具に比べて長期間に亘って使用可能になる。ここで、雄ねじ部材１０と雌ねじ部材３０の使用時の荷重負荷に対する強度は、それぞれの構造上、凹部３２を備える雌ねじ部材３０よりも軸部１２を備える雄ねじ部材１０の方が高く破損し難いので、木ねじ２０によって家具の脚１の底面１ａに雌ねじ部材３０を固着するのに比べて雄ねじ部材１０を固着する方がより長期間に亘って使用可能になる。
【００２５】
また、本実施例の家具用脚受具によれば、使用時に雄ねじ部材１０の軸部１２の端面と雌ねじ部材３０の凹部３２の底面とが密着しており、使用時の荷重負荷を雄ねじ部材１０では雄ねじ１１だけでなく軸部１２の端面でも受けることができるので、雄ねじ部材１０の雄ねじ１１が破損し難く、より長期間に亘って使用可能になる。
【００２６】
また、本実施例の家具用脚受具によれば、家具の脚１の底面１ａへの取り付け時に雄ねじ部材１０が雌ねじ部材３０によって完全に包み込まれるので、雌ねじ部材３０を交換しながら長期間に亘って使用することで、その使用期間はきれいな外観を維持することができる。
【実施例２】
【００２７】
次に、本発明の実施例２について説明する。図１，図２示した実施例１では、雌ねじ部材３０に雄ねじ部材１０の全体を回転自在に収容する上部開放の収容凹部３３を備えたが、雌ねじ部材３０に雄ねじ部材１０の軸部１２を収容する凹部３２のみを備え、家具の脚１の底面１ａへの取り付け時に雄ねじ部材１０の座部１５を雌ねじ部材３０の上面に重ね合わせる構造を有する家具用脚受具としてもよい（実施例２）。この実施例２の家具用脚受具においては、平面視における雄ねじ部材１０の座部１５の外形状と雌ねじ部材３０の外形状とを同形に設定しておくことで、家具の脚１の底面１ａへの取り付け時に雄ねじ部材１０の座部１５の外面のみが外観に現れるだけであるから、実施例１の家具用脚受具と同様に、雌ねじ部材３０を交換しながら長期間に亘って使用することで、その使用期間はきれいな外観を維持することができる。
【００２８】
また、実施例２の家具用脚受具においては、雄ねじ部材１０の座部１５の外形状及び雌ねじ部材３０の外形状として円形以外の長円形、正方形、長方形等を採用することができる。
【符号の説明】
【００２９】
１  家具の脚
１ａ  底面
２  床面
１０  雄ねじ部材
１１  雄ねじ
１２  軸部
２０  木ねじ
３０  雌ねじ部材
３１  雌ねじ
３２  凹部
【図１】
2018029759.tif 000003
【図２】
2018029759.tif 000004